(57)【要約】【課題】化粧筆の軸本体に嵌合したキャップが軸本体から抜け出ることがないように確実に保持すると共に、キャップ内に毛部を収容したり抜き出したりする際に、毛部を損傷することがない構造の化粧筆を提供する。【解決手段】先端に毛部２を有する軸本体３の後端に着脱自在に固定された嵌合軸４と円筒形のキャップ５の開口側端部の内周に着脱自在に固定された円筒形の係止筒６とを有し、キャップ５の係止筒６の内側には、該係止筒６に嵌合軸４の前後いずれの嵌合部４ｆを挿入した場合でも該嵌合部４ｆの環状係止突起４ａ、４ｂが乗り越えて係止される位置に複数の凸部６ｃが設けられ、さらに嵌合軸４の前後いずれかの嵌合部４ｆをキャップ５に固定された係止筒６に嵌合した状態で該係止筒６が嵌合部４ｆの端部を越す長さを有して末広がり６ｄに形成されている。【選択図】図４
0003112899.tif 000002
【実用新案登録請求の範囲】
【請求項１】
先端に毛部を有する軸本体の後端に着脱自在に固定された嵌合軸と円筒形のキャップの開口側端部の内周に着脱自在に固定された円筒形の係止筒とを有し、前記軸本体に固定された嵌合軸の前後のいずれかを前記キャップに固定された係止筒内に嵌合して係止状態にするもので、前記嵌合軸は中央の環状凸部で仕切られた前後に同様の外径と同様の長さを有する嵌合部が設けられると共に、夫々の嵌合部の端部には環状係止突起が形成され、前記キャップに固定された係止筒の内側には、該係止筒に前記嵌合軸の前後いずれの嵌合部を挿入した場合でも該嵌合部の環状係止突起が乗り越えて係止される位置に複数の凸部が設けられ、さらに前記嵌合軸の前後いずれかの嵌合部を前記キャップの係止筒に嵌合した状態で該係止筒が前記嵌合部の端部を越す長さを有して末広がりに形成されていることを特徴とする化粧筆。
【請求項２】
前記キャップの係止筒に少なくとも３個の凸部が形成されていることを特徴とする請求項１記載の化粧筆。
【考案の詳細な説明】
【技術分野】
【０００１】
本考案は、毛部を保護するためのキャップを備えた化粧筆に関する。
【背景技術】
【０００２】
従来の化粧筆においては、毛部を保護するためにキャップを備えたものが知られている。その例として、図５に示す化粧筆は一般に知られるもので、先端に毛部１１を設けた筆軸１２の把持部材１３に嵌合するキャップ１４を有し、このキャップ１４は一端が閉塞され、他端が筒状の開口部１５を有するものである。また、把持部材１３の外周の途中には環状凸部１６が形成され、該環状凸部１６を境にして前後の外周に夫々１個の点状凸部１７、１７が形成され、毛部１１側をキャップ１４内に挿入する場合でも、その反対側をキャップ１４内に挿入する場合でも、夫々の点状凸部１7がキャップ１４の内側に圧接状態で押し入れられることによって、キャップ１４の抜け出しを防止するようにしたものである。
【０００３】
ところが、このような構造においては、把持部材の点状凸部１７によってキャップ１４の外形が変形し、また経時的な使用によって把持部１３がキャップ１４から抜けやすくなるという欠点があった。
【０００４】
また、上記のキャップ構造は、キャップ１４の開口部１５の内周が単に筒状に形成されているだけであるが、上記の欠点がないように、キャップの開口部の内周に他の部材を設けた構造が案出されている。
【０００５】
その構造は、特許文献１に記載されたもので、図６に示すように、毛部２１を設けた軸本体２２に嵌合されるキャップ２３には、その開口部２４付近の内周に圧接用板バネ２５が固定されたものである。この圧接用板バネ２５には変形部位を有し、その変形部位の有する弾性によって、キャップ２３に挿入した軸本体２２の外周に圧迫を与えることで軸本体２２の抜け出しを防止するようにしたものである。
【０００６】
ところが、このような構造においては、キャップ２３の内周に設けられた圧接用板バネ２５に撓みが生じると、軸本体２２の外周を圧迫する弾性が弱くなり、経時的な使用によってキャップ２３が抜けやすくなるという欠点があった。
【０００７】
また、上記の特許文献１のように、キャップの開口部付近の内周に圧接用板バネを固定した構造のキャップを用いて、化粧筆の軸本体の毛部をキャップ内に嵌合する構造とした場合、毛部がキャップの内周と圧接用板バネとの隙間に挟まって、毛部を損傷するという不都合が生じる。
【特許文献１】特開平０９−０８４６２９
【考案の開示】
【考案が解決しようとする課題】
【０００８】
本考案は、上記の欠点を解消するためになされたもので、化粧筆の軸本体に嵌合したキャップが軸本体から抜け出ることがないように確実に保持すると共に、キャップ内に毛部を収容したり抜き出したりする際に、毛部を損傷することがない構造の化粧筆を提供することを目的とする。
【課題を解決するための手段】
【０００９】
上記の目的を達成するために、本考案における請求項１の筆記具における化粧筆は、先端に毛部を有する軸本体の後端に着脱自在に固定された嵌合軸と円筒形のキャップの開口側端部の内周に着脱自在に固定された円筒形の係止筒とを有し、前記軸本体に固定された嵌合軸の前後のいずれかを前記キャップに固定された係止筒内に嵌合して係止状態にするもので、前記嵌合軸は中央の環状凸部で仕切られた前後に同様の外径と同様の長さを有する嵌合部が設けられると共に、夫々の嵌合部の端部には環状係止突起が形成され、前記キャップに固定された係止筒の内側には、該係止筒に前記嵌合軸の前後いずれの嵌合部を挿入した場合でも該嵌合部の環状係止突起が乗り越えて係止される位置に複数の凸部が設けられ、さらに前記嵌合軸の前後いずれかの嵌合部を前記キャップの係止筒に嵌合した状態で該係止筒が前記嵌合部の端部を越す長さを有して末広がりに形成されていることを特徴とする。
【００１０】
また、請求項２の化粧筆は、請求項１において、前記キャップの係止筒に少なくとも３個の凸部が形成されていることを特徴とする。
【考案の効果】
【００１１】
以上説明したように、本考案の化粧筆においては、先端に毛部を有する軸本体の後端に固定された嵌合軸とキャップの開口側端部の内周に固定された円筒形の係止筒とを有し、嵌合軸は中央の環状凸部で仕切られた前後に同様の外径と同様の長さを有する嵌合部が設けられると共に、夫々の嵌合部の端部には環状係止突起が形成され、キャップの係止筒の内側には、該係止筒に嵌合軸の前後いずれの嵌合部を挿入した場合でも該嵌合部の環状係止突起が乗り越えて係止される位置に複数の凸部が設けられているため、毛部を外に出した状態で嵌合軸をキャップの係止筒に結合する場合でも、毛部をキャップ内に収容して保護状態に結合する場合でも、軸本体に固定された嵌合軸の環状係止突起をキャップの係止筒の凸部に嵌合係止した状態に保持することができる。
【００１２】
また、本考案において、嵌合軸の前後いずれかの嵌合部をキャップの係止筒に嵌合した状態で該係止筒が嵌合部の端部を越す長さを有して末広がりに形成されているため、キャップの内周と係止筒の外周との間に隙間が生じることのない構造とすることができ、キャップの内周にて毛部が挟まる隙間がない構造となり、毛部をキャップ内から抜き出す際にも、毛部をキャップ内に挿入する際にも、毛部に損傷がないように保護することが可能となる。
【考案を実施するための最良の形態】
【００１３】
以下、本考案の実施例について図面を参照しながら説明する。
【実施例１】
【００１４】
本考案による化粧筆１は、図１に示すように、先端に毛部２を有する軸本体３の後端に着脱自在に固定された嵌合軸４と円筒形のキャップ５の開口５ａ側端部の内周に着脱自在に固定された円筒形の係止筒６とを有し、軸本体３の嵌合軸４の前後のいずれかをキャップ５の係止筒６内に嵌合して係止状態にするものである。
【００１５】
上記の構成において、軸本体３の先端付近の外周には環状凹部３ａが形成されると共に、毛部２を固定した毛部保持部材７の端部付近の内周には環状凸部７ａが形成され、この毛部保持部材７の環状凸部７ａを軸本体３の環状凹部３ａに嵌め込むことによって両者は着脱自在に固定状態となる。
【００１６】
また、図１に示すように、キャップ５は長尺の円筒形であって一端が閉塞され、他端に開口５ａを有し、この開口側端部に係止筒６を着脱自在に固定するためのネジ山５ｂが形成されている。
【００１７】
係止筒６は、図１に示すように円筒形であって、キャップ５の内周にほぼ隙間なく挿入される外径を有するものであり、基端側の外周に環状の係止突起６ａを有すると共に、該係止突起６ａからやや内方寄りにキャップ５のネジ山５ｂに螺合される環状のネジ凸部６ｂが形成されている。このような構成により、図２に示すように、係止筒６をキャップ５内に挿入して回転すると、係止筒６のネジ凸部６ｂがキャップ５のネジ山５ｂに螺合され、基端側の係止突起６ａがキャップ５の端部に係止されることによって固定状態となる。
【００１８】
また、係止筒６の先端付近には後述するように（図３または図４参照）、嵌合軸４に設けられた嵌合部４の環状係止突起４ａ、４ｂが乗り越えて係止される位置に間隔をあけて複数の凸部６ｃが設けられている。この凸部６ｃの数として、上記のような嵌合状態における均等な係止状態を確保するために少なくとも３個の凸部６ｃを設けるのが望ましいが、それ以上の数の突起６ｃを設けてもよい。このような凸部６ｃは、係止筒６を薄厚の金属製で形成した場合、外周からポンチによる打込み加工によって形成することができる。
【００１９】
さらに、係止筒６の先端付近は外周方向に末広がり６ｄに形成され、図２に示すように、係止筒６をキャップ５内に挿入した状態で末広がり６ｄの端部がキャップ５の内周にほぼ接触する程度の外径を有するものとされている。このような構成により、後述するように、キャップ５の内周と係止筒６の末広がり６ｄの外周との間に隙間が生じることがなく、また係止筒６の端部は環状係止突起６ａによってキャップ５の開口５ａ側を閉塞した状態にあるため、キャップ５の内周にて毛部２が挟まる隙間がない構造となる。
【００２０】
また、図１に示すように、嵌合軸４は一端側の内周に上記の軸本体３の端部の外周に形成されたネジ山３ｂを螺合する雌ネジ４ｃが形成され、図２に示すように、軸本体３のネジ山３ｂを嵌合軸４の雌ネジ４ｃにねじ込むことによって両者は固定状態となる。
【００２１】
また、嵌合軸４の外周は中央の環状凸部４ｅで仕切られ、その前後に同様の外径と同様の長さを有する嵌合部４ｆ、４ｆが設けられ、夫々の嵌合部４ｆ、４ｆの前後の端部には環状係止突起４ａ、４ｂが形成されている。
【００２２】
このような構成においては、嵌合軸４の環状係止突起４ａ、４ｂと係止筒６の凸部６ｃとの位置関係が肝要であり、キャップ５の係止筒６に嵌合軸４の前後のいずれの嵌合部４ｆ、４ｆを挿入した場合でも、いずれかの嵌合部４ｆの環状係止突起４ａまたは４ｂが乗り越えて係止される位置にこの環状係止突起４ａ、４ｂが形成されるべきであり、またこの関係を満たす位置に係止筒６の複数の凸部６ｃが設けられている。
【００２３】
このような構成により、図３に示すように、キャップ５の係止筒６に嵌合軸４の後部、即ち、毛部２が設けられていない側を押し込んで挿入した場合、後部側の環状係止突起４ａが係止筒６の複数の凸部６ｃを乗り越えて係止されることによって固定状態に保持され、この状態で、キャップ５が軸本体３の柄部として機能する。また、嵌合軸４を抜き出すときは、軸本体３を引き出すことによって、環状係止突起４ａが係止筒６の複数の凸部６ｃを乗り越えて離脱状態となる。
【００２４】
また、図４に示すように、キャップ５の係止筒６に嵌合軸４の前部、即ち、毛部２が設けられた側を押し込んで挿入した場合、前部側の環状係止突起４ｂが係止筒６の複数の凸部６ｃを乗り越えて係止されることによって固定状態に保持され、この状態でキャップ５内に毛部２を収容した状態となって毛部２を保護する。また、嵌合軸４を抜き出すときは、上記同様に、軸本体３を引き出すことによって、環状係止突起４ｂが係止筒６の複数の凸部を乗り越えて離脱状態となる。
【００２５】
本実施例においては、毛部２の側をキャップ５内に挿入する際、またキャップ５内の毛部２が使用等により乱れている場合でも、この毛部２を抜き出す際、上記のようにキャップ５の内周と係止筒６の末広がり６ｄの外周との間には隙間がないため、キャップ５の内周にて毛部２が挟まるという不都合が生じない。
【産業上の利用可能性】
【００２６】
本考案は、化粧筆の軸本体に嵌合したキャップが軸本体から抜け出ることがないように確実に保持すると共に、キャップ内に毛部を収容したり抜き出したりする際に、毛部を損傷することがない化粧筆としての利用が可能である。
【図面の簡単な説明】
【００２７】
【図１】本考案による化粧筆の分解図である。
【図２】本考案による化粧筆のキャップと係止筒を結合し、また軸本体と嵌合軸を結合した状態を示す図である。
【図３】本考案による化粧筆の嵌合軸をキャップの係止筒内に嵌合した状態を示す図である。
【図４】本考案による化粧筆の毛部をキャップの内部に収容した結合状態を示す図である。
【図５】従来の化粧筆の外観を示す図である。
【図６】特許文献１の化粧筆の内部構造を示す図である。
【符号の説明】
【００２８】
１…化粧筆
２…毛部
３…軸本体
３ａ…環状凹部
４…嵌合軸
４ａ、４ｂ…環状係止突起
４ｃ…雌ネジ
４ｅ…環状凸部
４ｆ…嵌合部
５…キャップ
５ａ…開口
５ｂ…ネジ山
６…係止筒
６ａ…係止突起
６ｂ…ネジ凸部
７…毛部保持部材
７ａ…環状凸部
【図１】
0003112899.tif 000003
【図２】
0003112899.tif 000004
【図３】
0003112899.tif 000005
【図４】
0003112899.tif 000006
【図５】
0003112899.tif 000007
【図６】
0003112899.tif 000008